【事件の表示】
　特願２０１５−５４９０３号「遊技機」拒絶査定不服審判事件〔平成２８年１０月６日出願公開、特開２０１６−１７４６２２号〕について、次のとおり審決する。
【結　論】
　本件審判の請求は、成り立たない。
【理　由】
１　手続の経緯
　本願は、平成２７年３月１８日の出願であって、平成２８年１０月７日付けで拒絶査定がなされ、これに対して、平成２９年１月１０日付けで拒絶査定不服審判の請求がなされると同時に手続補正がなされたが、当審において同年５月３０日付けで拒絶理由通知がなされ、これに対して、同年６月９日付けで手続補正がなされたものである。
２　本願の請求項１に係る発明
　平成２９年６月９日付けの手続補正は、特許請求の範囲を補正する内容を含んでおり、当該補正後の特許請求の範囲の請求項１に係る発明は、次のとおりのものである（以下、「本願発明」という。Ａ〜Ｆは本願発明を分説するため当審で付した。）。  
「【請求項１】
Ａ　駆動源と、
Ｂ　前記駆動源の動力により変位可能な演出部材と、
Ｃ　前記演出部材に対して一方端側が回転自在に支持された第一可動部材および第二可動部材と、
を備え、
Ｄ　前記駆動源の動力が前記演出部材に伝達されることで、当該演出部材が、それに支持された前記第一可動部材および前記第二可動部材との相対位置を変化させずに変位する状態と、
Ｅ　前記駆動源の動力が前記第一可動部材および前記第二可動部材の他方端側に伝達されることで、当該第一可動部材および第二可動部材の両方が前記演出部材に支持された一方端側を支点として回動するとともに、当該第一可動部材および第二可動部材の他方端側が互いに近づく方向または離れる方向に変位する状態と、
Ｆ　が切り替えられることを特徴とする遊技機。」
３　当審の平成２９年５月３０日付け拒絶理由の概要
　当審の平成２９年５月３０日付け拒絶理由の概要は、本願の請求項１に係る発明は、その出願前日本国内において頒布された特開２０１１−２２４２５２号公報（以下、「刊行物１」という。）又は特開２０１５−２９３１号公報に記載された発明であるから、特許法第２９条第１項第３号に該当し又は同条第２項の規定により、特許を受けることができないというものである。
４　刊行物に記載された事項 
　当審の拒絶の理由で引用された刊行物１には、次の事項が記載されている（下線は当審で付した。）。 
（ア）　「【００１０】
　・・・
　図１、図２は、本発明を適用した
パチンコ遊技機
　遊技領域中央には、画像表示器１１１が配置されている。画像表示器１１１は、例えば、液晶表示装置等の液晶表示パネルにより構成され、特別図柄に応じた装飾図柄、例えば数字図柄、アルファベット図柄、キャラクタ図柄等の画像が表示される。・・・画像表示器１１１の上方に設けた収容部１２０の背面側には、鳳凰を象った可動役物が収容されており、パチンコ遊技機における演出にあわせて、図２に示すように収容部１２０から出没させる。
　この可動役物は、内部基板にＬＥＤ（Light Emission Diode）を組み込むことで発光可能とした本発明のイルミネーションユニットである。」
（イ）　「【００１２】
　図３は、図２に示した可動役物であるイルミネーションユニット１０を示す図であり、図４は、イルミネーションユニット１０の分解図である。
　図３、図４に示すように、本発明の
イルミネーションユニットは
第１の羽根部１１、１５と
胴部１３と
第２の羽根部１２、１４と、から構成されている
イルミネーションユニット１０において、第１の羽根部１１、１５はその基部を、第２の羽根部１２、１４に対して、それぞれ軸部１６−１、１６−２を中心として上下方向へ回動可能に接続されている
第２の羽根部１２、１４も、その基部を胴部１３に対して軸部１７−１、１７−２を中心として回動可能に接続されている
（ウ）　「【００１３】
　図５は、イルミネーションユニットの駆動機構を説明する図であり、（ａ）は収容状態を示す正面図、（ｂ）はその背面図、（ｃ）は、動作状態を示す正面図、（ｄ）は、動作状態を示す背面図である。
　図５に示すように、鳳凰を象った本発明の可動役物である
イルミネーションユニット１０は、
ベース部材１７によって支持されており、またベース部材１７の上部に設けた左右の軸部７０ａ、７０ｂによって一端部を上下方向へ回動自在に軸支された略Ｌ字形の一対のアーム７１ａ、７１ｂの他端部が第１の羽根部１１、１５の先端部に設けた軸部１１ａ、１５ａによって回動自在に軸支されている。
　このため、
一対のアーム７１ａ、７１ｂが同期して上下方向へ回動する過程で、第１の羽根部１１、１５が上下方向へ開閉動作するため、第１の羽根部１１、１５の基部に対して図４に示す軸１６−１、１６−２により軸支された第２の羽根部１２、１４も連動して上下方向へ開閉動作する
【００１４】
　つまり、第１の羽根部１１、１５、第２の羽根部１２，１４からなる折り畳み式の羽根は、アーム７１ａ、７１ｂの回動によって図５（ａ）（ｂ）に示した収納位置と図５（ｃ）（ｄ）に示した開放位置との間を動作する。
　なお、図５（ａ）（ｂ）に示す収納位置にある場合、イルミネーションユニット１０は、図１に示すように収納部１２０の背面側に隠れているが、図５（ｃ）（ｄ）に示す開放位置にある場合、図２に示すように収納部１２０の外に現れる。
　なお、イルミネーションユニット１０を支持するベース部材１７は、その左右両側端に設けたレール部１６を介して図示しない支持部により上下動可能に支持されている。
　なお、以下に説明する
駆動機構によってベース部材１７及びイルミネーションユニット１０は上下動するが、イルミネーションユニット１０が下降する際に、図示しない支持部に設けた左右一対のストッパ７２ａ、７２ｂ（図５（ｃ））が各アーム７１ａ、７１ｂと当接してアームを開放動作させる
　鳳凰は、駆動機構によって全体として上下動すると共に、
上昇位置
（エ）　「【００１５】
　以下に、図５（ｂ）（ｄ）を使用して
イルミネーションユニット１０を駆動する駆動機構
　
駆動機構は、
支持部に固定されたモータ８１と、モータ８１の出力軸により軸心を支持された出力ギア８２と、支持部によって回転自在に軸支されると共に出力ギア８２と常時噛合する大径のギア８３と
を備えている
　なお、ベース部１７の下面には略長方形状の突部が設けられており、ラックギア７５ａ、７５ｂは、この突部の左右両側縁に沿って設けられている。
【００１６】
　また、図５（ｃ）に示すように、ギア８３の外周に沿った前面にはピン７６が突設されており、このピン７６はスライドギア片７３の上部に設けた横長の長穴７７に遊嵌している。このため、
ギア８３が一方向へ一回転する過程で
スライドギア片７３が上下動する
　図５（ｄ）に示すように、
スライドギア片７３が上下動すると、まずその左右側縁に設けたラックギア７４ａ、７４ｂと常時噛合するギア８４、８５に駆動力が伝達され、更に順次ギア８６、８７、ギア８８、８９に駆動力が伝達され、最後に８８、８９から鳳凰を支持するベース部材１７下面に設けた左右一対のラックギア７５ａ、７５ｂに駆動力が伝達されてベース部材１７及びイルミネーションユニット１０が上下動する
（オ）　図５には、第１の羽根部１１、１５及び第２の羽根部１２、１４が重なって折り畳まれた状態の位置（図５（ａ）、（ｂ）。以下、「上昇位置」という。）において、アーム７１ａ、７１ｂのうちストッパ７２ａ、７２ｂが当接する部分（図５（ａ）、（ｂ）においてアーム７１ａ、７１ｂのうち略水平に図示されている部分。以下、「当接部分」という。）が出力ギア８２よりも上方にあって、図５（ｃ）、（ｄ）ではストッパ７２ａ、７２ｂはギア８４の近傍に位置しており、図５（ａ）、（ｂ）ではアーム７１ａ、７１ｂの当接部分はギア８４の上方に位置しているから、上昇位置ではアーム７１ａ、７１ｂはストッパ７２ａ、７２ｂと当接していないこと、及び、ストッパ７２ａ、７２ｂは出力ギア８２よりも下方にあること（図５（ｃ）、（ｄ））が図示されている。
　そして同図には、上昇位置においては、アーム７１ａ、７１ｂの当接部分はストッパ７２ａ、７２ｂと当接しておらず、また、ストッパ７２ａ、７２ｂは出力ギア８２よりも下方にあるから、上昇位置からイルミネーションユニット１０が下降し、当接部分が出力ギア８２より下方に移動してストッパ７２ａ、７２ｂと当接する位置に至るまでの区間は、ストッパ７２ａ、７２ｂが各アーム７１ａ、７１ｂと当接していない状態にあることが図示されている。
（カ）　図５には、第１の羽根部１１、１５が、軸部１６−１、１６−２を中心として回動すると、当該第１の羽根部１１、１５の軸部１６−１、１６−２が位置する基部とは反対側の端部である先端部が互いに近づく方向（図５（ａ）、（ｂ））または離れる方向（図５（ｃ）、（ｄ））に変位することが図示されている。
　以上の記載事項及び図面の図示内容から、以下の認定をすることができる。
（キ）　上記（イ）【００１２】には、「イルミネーションユニットは・・・第１の羽根部１１、１５と・・・胴部１３と・・・第２の羽根部１２、１４と、から構成されている」、「第１の羽根部１１、１５はその基部を、第２の羽根部１２、１４に対して、それぞれ軸部１６−１、１６−２を中心として上下方向へ回動可能に接続されている」と記載されている。
　そうすると、上記（イ）には、イルミネーションユニット１０は第１の羽根部１１、１５、第２の羽根部１２、１４などから構成されること、及び、第２の羽根部１２、１４には、第１の羽根部１１、１５が接続されることが記載されている。
　また、上記（エ）【００１５】には、「イルミネーションユニット１０を駆動する駆動機構・・・は、・・・支持部に固定されたモータ８１と、モータ８１の出力軸により軸心を支持された出力ギア８２と、支持部によって回転自在に軸支されると共に出力ギア８２と常時噛合する大径のギア８３と・・・を備えている」と記載され、同【００１６】には、「ギア８３が一方向へ一回転する過程で・・・駆動力が伝達されて・・・イルミネーションユニット１０が上下動する」と記載されている。
　そうすると、上記（エ）には、駆動機構によってモータ８１の出力が伝達されることで、イルミネーションユニット１０が上下動することが記載されている。
　ここで、イルミネーションユニット１０は第１の羽根部１１、１５、第２の羽根部１２、１４などから構成され、当該イルミネーションユニット１０はモータ８１の出力が伝達されることで上下動するから、当該イルミネーションユニット１０が上下動する際、当該モータ８１の出力が第２の羽根部１２、１４に対しても伝達されていることは明らかである。
　したがって、上記（イ）、（エ）には、イルミネーションユニット１０が上下動する際、
モータ８１の出力が第２の羽根部１２、１４に伝達されることで
第２の羽根部１２、１４が
上下動する
（ク）　上記（ウ）【００１３】には、「イルミネーションユニット１０は、・・・ベース部材１７によって支持されており、またベース部材１７の上部に設けた左右の軸部７０ａ、７０ｂによって一端部を上下方向へ回動自在に軸支された略Ｌ字形の一対のアーム７１ａ、７１ｂの他端部が第１の羽根部１１、１５の先端部に設けた軸部１１ａ、１５ａによって回動自在に軸支され・・・一対のアーム７１ａ、７１ｂが同期して上下方向へ回動する過程で、第１の羽根部１１、１５が上下方向へ開閉動作するため・・・第２の羽根部１２、１４も連動して上下方向へ開閉動作する」と記載され、同【００１４】には、「イルミネーションユニット１０が下降する際に、図示しない支持部に設けた左右一対のストッパ７２ａ、７２ｂ・・・が各アーム７１ａ、７１ｂと当接してアームを開放動作させる」と記載されている。
　そうすると、上記（ウ）には、モータ８１の出力が伝達されることで、イルミネーションユニット１０が上下動し、イルミネーションユニット１０が下降する際、ストッパ７２ａ、７２ｂが各アーム７１ａ、７１ｂと当接してアームを開放動作させ、アーム７１ａ、７１ｂが上方向へ回動する過程で、第１の羽根部１１、１５が上方向へ開動作し、第２の羽根部１２、１４も連動して上方向へ開動作することが記載されている。また、刊行物１には、第２の羽根部１２、１４と、それに接続された第１の羽根部１１、１５を開閉動作させる手段について、当該ストッパ７２ａ、７２ｂが各アーム７１ａ、７１ｂと当接することによること以外は、何ら記載されていない。
　そして、第２の羽根部１２、１４と、それに接続された第１の羽根部１１、１５は、ストッパ７２ａ、７２ｂが各アーム７１ａ、７１ｂと当接して初めて開閉動作するものであって、ストッパ７２ａ、７２ｂが各アーム７１ａ、７１ｂと当接していない状態にあっては第２の羽根部１２、１４と、それに接続された第１の羽根部１１、１５との相対位置は変化しないことは明らかである。
　そうすると、上記（オ）に示したとおり、上昇位置からイルミネーションユニット１０が下降し、当接部分が出力ギア８２より下方に移動してストッパ７２ａ、７２ｂと当接する位置に至るまでの区間は、ストッパ７２ａ、７２ｂが各アーム７１ａ、７１ｂと当接していない状態にあることから、当該区間では、第２の羽根部１２、１４と、それに接続された第１の羽根部１１、１５との相対位置が変化しないことが明らかである。
　したがって、上記（ウ）、（オ）には、
第２の羽根部１２、１４が、それに接続された第１の羽根部１１、１５との相対位置を変化させずに変位する状態
（ケ）　上記（キ）、（ク）より、刊行物１には、
モータ８１の出力が第２の羽根部１２、１４に伝達されることで、第２の羽根部１２、１４が、それに接続された第１の羽根部１１、１５との相対位置を変化させずに変位する状態
（コ）　上記（キ）に示したとおり、上記（エ）【００１５】、【００１６】には、駆動機構によってモータ８１の出力が伝達されることで、イルミネーションユニット１０が上下動することが記載されている。
　また、上記（キ）に示したとおり、上記（ウ）【００１３】には、「イルミネーションユニット１０は、・・・ベース部材１７の上部に設けた左右の軸部７０ａ、７０ｂによって一端部を上下方向へ回動自在に軸支された略Ｌ字形の一対のアーム７１ａ、７１ｂの他端部が第１の羽根部１１、１５の先端部に設けた軸部１１ａ、１５ａによって回動自在に軸支され・・・一対のアーム７１ａ、７１ｂが同期して上下方向へ回動する過程で、第１の羽根部１１、１５が上下方向へ開閉動作する」と記載され、同【００１４】には、「駆動機構によって・・・イルミネーションユニット１０は上下動するが、イルミネーションユニット１０が下降する際に、図示しない支持部に設けた左右一対のストッパ７２ａ、７２ｂ・・・が各アーム７１ａ、７１ｂと当接してアームを開放動作させる」と記載されている。
　ここで、駆動機構によってモータ８１の出力が伝達されることで、イルミネーションユニット１０が上下動し、当該上下動に伴うアーム７１ａ、７１ｂの動作によって第１の羽根部１１、１５が動作するということは、モータ８１の出力がアーム７１ａ、７１ｂを介して、当該アーム７１ａ、７１ｂが接続された第１の羽根部１１、１５の先端部に伝達されていることであることは明らかである。
　したがって、上記（エ）、（ウ）には、
モータ８１の出力が第１の羽根部１１、１５の先端部に伝達されることで動作する第１の羽根部１１、１５
（サ）　上記（イ）【００１２】には、「第１の羽根部１１、１５はその基部を、第２の羽根部１２、１４に対して、それぞれ軸部１６−１、１６−２を中心として上下方向へ回動可能に接続されている」と記載されている。
　そうすると、上記（イ）には、第１の羽根部１１、１５が第２の羽根部１２、１４に接続された基部の軸部１６−１、１６−２を中心として回動することが記載されている。
　また、上記（カ）に示したとおり図５には、第１の羽根部１１、１５が、軸部１６−１、１６−２を中心として回動すると、当該第１の羽根部１１、１５の先端部が互いに近づく方向または離れる方向に変位することが図示されている。
　したがって、上記（イ）、（カ）には、
第１の羽根部１１、１５が第２の羽根部１２、１４に接続された基部の軸部１６−１、１６−２を中心として回動するとともに、当該第１の羽根部１１、１５の先端部が互いに近づく方向または離れる方向に変位する状態
（シ）　上記（コ）、（サ）より、刊行物１には、
モータ８１の出力が第１の羽根部１１、１５の先端部に伝達されることで、第１の羽根部１１、１５が第２の羽根部１２、１４に接続された基部の軸部１６−１、１６−２を中心として回動するとともに、当該第１の羽根部１１、１５の先端部が互いに近づく方向または離れる方向に変位する状態
（ス）　上記（ケ）に示した「・・・相対位置を変化させずに変位する状態」と、上記（シ）に示した「・・・互いに近づく方向または離れる方向に変位する状態」は、上記（ク）に示したモータ８１の出力が伝達されることでイルミネーションユニット１０が下降する際に、前者の
状態から
状態となる
　以上の記載事項、図面の図示内容及び認定事項から、刊行物１には、次の発明が記載されていると認められる（以下、「引用発明」という。ａ〜ｆは引用発明を分説するため当審で付した。）。
「ａ　支持部に固定されたモータ８１と（【００１５】）、
ｂ　モータ８１の出力が伝達されることで上下動する第２の羽根部１２、１４と（認定事項（キ））、
ｃ　第２の羽根部１２、１４に対して、その基部をそれぞれ軸部１６−１、１６−２を中心として上下方向へ回動可能に接続されている第１の羽根部１１、１５と（【００１２】）、
を備え、
ｄ　モータ８１の出力が第２の羽根部１２、１４に伝達されることで、第２の羽根部１２、１４が、それに接続された第１の羽根部１１、１５との相対位置を変化させずに変位する状態から（認定事項（ケ）、（ス））、
ｅ　モータ８１の出力が第１の羽根部１１、１５の先端部に伝達されることで、第１の羽根部１１、１５が第２の羽根部１２、１４に接続された基部の軸部１６−１、１６−２を中心として回動するとともに、当該第１の羽根部１１、１５の先端部が互いに近づく方向または離れる方向に変位する状態となる（認定事項（シ）、（ス））、
ｆ　パチンコ遊技機（【００１０】）。」
５　対比、判断
　本願発明と引用発明とを対比する（対比の見出しとしての（ａ）〜（ｆ）は引用発明の分説構成と対応させた。）。
（ａ）　引用発明における「モータ８１」は、本願発明における「駆動源」に相当する。
（ｂ）　引用発明における「モータ８１の出力」、「第２の羽根部１２、１４」は、それぞれ、本願発明における「前記駆動源の動力」、「演出部材」に相当する。
　そして、引用発明において、モータ８１の「出力が伝達されることで上下動する」ことは、本願発明において、駆動源の「動力により変位可能」であることに含まれる。
　したがって、引用発明における「モータ８１の出力が伝達されることで上下動する第２の羽根部１２、１４」は、本願発明における「前記駆動源の動力により変位可能な演出部材」に相当する。
（ｃ）　引用発明における「第１の羽根部１１、１５」は、本願発明における「第一可動部材および第二可動部材」に相当する。
　また、引用発明における「その基部」、つまり「第１の羽根部１１、１５」の「基部」は、第１の羽根部１１、１５の一方端側の部分であるから、引用発明において「その基部を・・・回動可能に接続」することは、本願発明において「一方端側が回転自在に支持され」ることに相当する。
　したがって、引用発明における「第２の羽根部１２、１４に対して、その基部をそれぞれ軸部１６−１、１６−２を中心として上下方向へ回動可能に接続されている第１の羽根部１１、１５」は、本願発明における「前記演出部材に対して一方端側が回転自在に支持された第一可動部材および第二可動部材」に相当する。
（ｄ）　引用発明において「第２の羽根部１２、１４が、それに接続された第１の羽根部１１、１５との相対位置を変化させずに変位する」ことは、本願発明において「演出部材が、それに支持された前記第一可動部材および前記第二可動部材との相対位置を変化させずに変位する」ことに相当する。
　したがって、引用発明における「モータ８１の出力が第２の羽根部１２、１４に伝達されることで、第２の羽根部１２、１４が、それに接続された第１の羽根部１１、１５との相対位置を変化させずに変位する状態」は、本願発明における「前記駆動源の動力が前記演出部材に伝達されることで、当該演出部材が、それに支持された前記第一可動部材および前記第二可動部材との相対位置を変化させずに変位する状態」に相当する。
（ｅ）　上記（ｃ）に示したとおり、引用発明における「基部」は、本願発明における「一方端」側の部分であり、そうすると、引用発明における「先端部」は、本願発明における「他方端」側の部分であるということができる。
　そして、引用発明の構成ｅについて、以下、（ｅ１）〜（ｅ３）に分けて検討する。
（ｅ１）　引用発明における「第１の羽根部１１、１５の先端」は、本願発明における「前記第一可動部材および前記第二可動部材の他方端」に相当する。
　また、引用発明において「先端部に伝達される」ことは、本願発明において「他方端側に伝達される」ことに相当する。
　そうすると、引用発明において「モータ８１の出力が第１の羽根部１１、１５の先端部に伝達されること」は、本願発明において「前記駆動源の動力が前記第一可動部材および前記第二可動部材の他方端側に伝達されること」に相当する。
（ｅ２）　引用発明において「第２の羽根部１２、１４に接続」されること、「軸部１６−１、１６−２を中心として回動する」ことは、それぞれ、本願発明において「演出部材に支持」されること、「支点として回動する」ことに相当する。
　また、引用発明において「基部の軸部１６−１、１６−２を中心として回動する」ことは、本願発明において「一方端側を支点として回動する」ことに相当する。
　そうすると、引用発明において「第１の羽根部１１、１５が第２の羽根部１２、１４に接続された基部の軸部１６−１、１６−２を中心として回動する」ことは、本願発明において「当該第一可動部材および第二可動部材の両方が前記演出部材に支持された一方端側を支点として回動する」ことに相当する。
（ｅ３）　引用発明における「当該第１の羽根部１１、１５の先端部が互いに近づく方向または離れる方向に変位する状態」は、本願発明における「当該第一可動部材および第二可動部材の他方端側が互いに近づく方向または離れる方向に変位する状態」に相当する。
　したがって、引用発明における「モータ８１の出力が第１の羽根部１１、１５の先端部に伝達されることで、第１の羽根部１１、１５が第２の羽根部１２、１４に接続された基部の軸部１６−１、１６−２を中心として回動するとともに、当該第１の羽根部１１、１５の他方端側が互いに近づく方向または離れる方向に変位する状態」は、本願発明における「前記駆動源の動力が前記第一可動部材および前記第二可動部材の他方端側に伝達されることで、当該第一可動部材および第二可動部材の両方が前記演出部材に支持された一方端側を支点として回動するとともに、当該第一可動部材および第二可動部材の他方端側が互いに近づく方向または離れる方向に変位する状態」に相当する。
（ｆ）　引用発明における「パチンコ遊技機」は、本願発明における「遊技機」に相当する。
　また、引用発明においては、構成ｄの「状態から」、構成ｅの「状態となる」から、当該二つの状態が「切り替えられ」ているということができる。
　したがって、引用発明において、構成ｄの「状態から」、構成ｅの「状態となる」「パチンコ遊技機」は、本願発明において、二つの状態が「切り替えられる」「遊技機」に相当する。
　以上の検討より、本願発明と引用発明とは全ての点で一致し相違点はないから、本願発明は刊行物１に記載された発明である。
　また、仮に相違点があったとしても、本願発明は、引用発明に基づいて当業者が容易に発明をすることができたものである。
６　請求人の主張について
　本願発明について、請求人は、平成２９年６月９日付けの意見書の「３．拒絶理由に対する反論」において、「３−１）・・・本願発明は、駆動源の動力が演出部材に伝達されることで、演出部材に対する第一可動部材および第二可動部材の相対位置が変化せずに演出部材が変位する状態（以下、形式的に第一状態と称することもある）と、同じ駆動源の動力が第一可動部材および第二可動部材に伝達されることで、第一可動部材および第二可動部材の両方が演出部材に支持された一方端側を支点として回動するとともに、当該第一可動部材および第二可動部材の他方端側が互いに近づく方向または離れる方向に変位する状態（以下、形式的に第二状態と称することもある）という、二つの状態が切り替えられることを特定する」、「３−２）・・・刊行物１に記載される発明は、第１の羽根部１１、１５およびそれを支持する部材を含む組体（イルミネーションユニット１０）が、上下方向に移動するものであると認められるが、当該組体の全体が上下方向に移動しつつ、第１の羽根部１１、１５の先端が互いに離れる方向または近づく方向に変位するものである。すなわち、第１の羽根部１１、１５がそれを支持する部材との相対位置を変化させずに組体が上下方向に移動する状態と、第１の羽根部１１、１５の先端が互いに離れる方向または近づく方向に変位する状態とが切り替わるというものではない。したがって、刊行物１には、上述した第一状態と第二状態が切替わる構成が開示されているとはいえない」と主張する。
　しかしながら、請求人が主張する「第一状態と第二状態が切替わる構成」、つまり本願発明の構成Ｄ〜Ｆについては、上記５（ｄ）〜（ｆ）に示したとおり、引用発明においても備えられている構成である。
　したがって、請求人の主張は採用することができない。
７　まとめ
　以上のように、本願発明は、特許法第２９条第１項第３号に該当し又は同条第２項の規定により、特許を受けることができない。
　したがって、本願は拒絶すべきものである。
　よって、結論のとおり審決する。